(57)【要約】【課題】受信原稿をファイルに綴じた後でも付帯情報を適切に判読することが可能な通信装置を提供すること目的とする。【解決手段】ファクシミリ受信機能を備えた通信装置において、受信したデータを印刷する際に記録される日時やページ数などの付帯情報を標準設定位置からページ余白内の左または右へ移動させて印刷する手段を備えたものである。【選択図】        図１
2006245724.tif 000002
【特許請求の範囲】
【請求項１】
ファクシミリ受信機能を備えた通信装置において、
受信したデータを印刷する際に記録される日時やページ数などの付帯情報を標準設定位置からページ余白内の左または右へ移動させて印刷する手段を備えたことを特徴とする通信装置。
【請求項２】
ファクシミリ受信機能を備えた通信装置において、
受信したデータを印刷する際に記録される日時やページ数などの付帯情報を標準設定位置からページ余白内の上または下へ移動させて印刷する手段を備えたことを特徴とする通信装置。
【請求項３】
ファクシミリ受信機能を備えた通信装置において、
受信したデータを印刷する際に記録される日時やページ数などの付帯情報を標準設定されたフォントサイズよりも大きいフォントサイズで印刷する手段を備えたことを特徴とする通信装置。
【発明の詳細な説明】
【技術分野】
【０００１】
本発明は、ファクシミリ受信機能を備えた通信装置に関する。
【背景技術】
【０００２】
従来、ファクシミリ装置では、データを受信した際の受信文書に印刷される受信時刻、ページ数などの付帯情報の位置は固定位置、フォントサイズも固定サイズであった。
【特許文献１】特開２００３−１６２３９６号公報
【特許文献２】特開２００２−０１９２０２号公報号公報
【発明の開示】
【発明が解決しようとする課題】
【０００３】
しかしながら、付帯情報の印刷される箇所は受信文書の余白の固定位置であるため、受信文書をホッチキスで止めたり、パンチ穴を開ける際に付帯情報が失われてしまうことがあるし、パンチ穴開けをした後でファイルにまとめた場合に、付帯情報が隠れてしまうこともある。また、付帯情報のフォントサイズが小さいことは受信文書をスキャナで読み取ったり、コピーを取った場合に解像度によっては付帯情報が失われる要因となることがある。
【０００４】
本発明は、かかる実情に鑑みてなされたものであり、受信原稿をファイルに綴じた後でも付帯情報を適切に判読することが可能な通信装置を提供すること目的とする。
【課題を解決するための手段】
【０００５】
本発明は、ファクシミリ受信機能を備えた通信装置において、受信したデータを印刷する際に記録される日時やページ数などの付帯情報を標準設定位置からページ余白内の左または右へ移動させて印刷する手段を備えたものである。
【０００６】
また、ファクシミリ受信機能を備えた通信装置において、受信したデータを印刷する際に記録される日時やページ数などの付帯情報を標準設定位置からページ余白内の上または下へ移動させて印刷する手段を備えたものである。
【０００７】
また、ファクシミリ受信機能を備えた通信装置において、受信したデータを印刷する際に記録される日時やページ数などの付帯情報を標準設定されたフォントサイズよりも大きいフォントサイズで印刷する手段を備えたものである。
【発明の効果】
【０００８】
したがって、本発明によれば、受信したデータを印刷する際に記録される日時、ページ数などの付帯情報を標準設定位置からページ余白内の左または右、あるいは、上または下へ移動させて印刷するので、ユーザーの使い勝手に合わせた付帯情報の印刷位置変更をすることができるという効果を得る。
【０００９】
また、受信したデータを印刷する際に記録される日時、ページ数などの付帯情報を標準設定サイズ以外にサイズ変更して印刷するので、ユーザーの使い勝手に合わせた付帯情報のフォントサイズ変更をすることができるという効果を得る。
【発明を実施するための最良の形態】
【００１０】
以下、添付図面を参照しながら、本発明の実施の形態を詳細に説明する。
【００１１】
図１は、本発明の一実施例にかかるグループ３ファクシミリ装置を示している。この場合、受信した文書情報以外の付帯情報を自端末側で印刷情報として生成し、受信文書に合成して記録出力するようにしている。
【００１２】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１３】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１６】
網制御装置１１は、このグループ３ファクシミリ装置をアナログ公衆網ＰＳＴＮに接続するためのものであり、自動発着信機能を備えている。
【００１７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１８】
また、網制御装置１１とグループ３ファクシミリモデム１０との間のデータのやりとりは、直接行なわれている。
【００１９】
さて、本実施例では、受信原稿に受信日時、送信元情報、または、ページ番号等からなる付帯情報を印刷するようにしている。そして、この付帯情報を印刷する位置は、例えば、図２に示すように、用紙の余白の上部の左上を起点とする位置Ｐ１、余白の上部の中央部を起点とする位置Ｐ２、余白の下部の左下を起点とする位置Ｐ３、および、余白の下部の中央部を起点とする位置Ｐ４に設定されていて、ユーザは、このいずれかの位置を指定することができる。
【００２０】
ここで、位置Ｐ１が標準位置とすると、それ以外の位置Ｐ２，Ｐ３，Ｐ４をオプション位置として指定することができることとなる。
【００２１】
また、この付帯情報の位置情報は、例えば、パラメータメモリ３に保存される。
【００２２】
そして、図３に示すように、画情報を受信して格納すると（処理１０１）、パラメータメモリ３から付帯情報の設定位置情報を取得する（処理１０２）。
【００２３】
次いで、付帯情報（受信日時、送信元情報、または、ページ番号等）を生成し（処理１０３）、処理１０２で取得した設定位置情報に従って受信画情報に合成して記録出力する（処理１０４）。
【００２４】
このようにして、本実施例では、ユーザが付帯情報の位置を選択することができるので、例えば、ファイルに綴じた場合でも付帯情報が綴じ器具により隠れてしまうような事態を回避することができることとなる。
【００２５】
上述した実施例では、付帯情報を記録する位置をユーザが設定できるようにしているが、付帯情報を記録するフォントサイズをユーザが設定できるようにすることもできる。
【００２６】
例えば、図４に示すように、付帯情報を記録する際の文字の標準のフォントサイズを１０ｐｘ（ポイント）とすると、小さめの８ｐｘ、または、少し大きめの１２ｐｘ、または、大きめの１４ｐｘを選択できるようにする。そして、ユーザが設定したフォントサイズの情報は、例えば、パラメータメモリ３に保存する。
【００２７】
そして、図５に示すように、画情報を受信して格納すると（処理２０１）、パラメータメモリ３から付帯情報のフォントサイズ情報を取得する（処理２０２）。
【００２８】
次いで、付帯情報（受信日時、送信元情報、または、ページ番号等）を生成し（処理２０３）、処理２０２で取得したフォントサイズ情報に従った文字の大きさで付帯情報を記録する際のイメージ情報を作成し、そのイメージ情報を受信画情報に合成して記録出力する（処理２０４）。
【００２９】
このようにして、本実施例では、ユーザが付帯情報を記録する文字のフォントサイズを選択することができるので、例えば、ファイルに綴じた場合でも付帯情報が綴じ器具により隠れてしまうような事態を回避することができることとなる。
【００３０】
なお、本発明は、グループ３ファクシミリ装置以外にファクシミリ通信機能を備えた画像形成装置等の通信装置に同様にして適用することができる。例えば、ファクシミリ通信機能を備えた印刷装置などである。その場合、受信した文書情報以外の付帯情報を自端末側で印刷情報として生成する機能を備えておれば、本発明を適用することができる。
【００３１】
また、付帯情報としては、自端末で生成するものであれば、例えば、何らかの手段で取得した相手端末の識別情報、受信日時、通信モード情報、および、ページ番号等の適宜なものを適宜なフォーマットで配列したものを採用することができる。
【図面の簡単な説明】
【００３２】
【図１】本発明の一実施例にかかるグループ３ファクシミリ装置を示したブロック図。
【図２】付帯情報印刷位置の一例を示した概略図。
【図３】印刷時の処理の一例を示したフローチャート。
【図４】付帯情報のフォントサイズの一例を示した概略図。
【図５】印刷時の処理の他の例を示したフローチャート。
【符号の説明】
【００３３】
１  システム制御部
２  システムメモリ
３  パラメータメモリ
【図１】
2006245724.tif 000003
【図２】
2006245724.tif 000004
【図３】
2006245724.tif 000005
【図４】
2006245724.tif 000006
【図５】
2006245724.tif 000007